(57)【要約】【課題】発光ダイオード等の発光に際し、発熱を伴わない光源を用いて、従来、発熱を伴う光源では使用することができなかった易燃性の部材を用いて装飾を施し、新たな嗜好性を有する装飾照明装置を提供するとともに、一般の人が独自性を持たせつつ、装飾照明装置を製作することができる装飾照明製作用キットを提供する。【解決手段】透明なプラスチック材によって構成された筒状体１と、筒状体の内側又は外側に、筒状体に沿って設けられたシート状の装飾紙４と、筒状体の内部に、筒状体内部を全体的に照らす熱を発生しない光源２１とを設けた装飾照明装置とした。また、筒状に巻かれることによって立設可能となるシート状の透明なプラスチック材１１と、プラスチック材の巻き方向よりも長く又は巻き方向と略同一長さに形成されたシート状の装飾紙４と、筒状内に収容可能である熱を発生しない光源とを有する装飾照明製作用キットとした。【選択図】  図１
2008034338.tif 000002
【特許請求の範囲】
【請求項１】
透明なプラスチック材によって構成された筒状体と、この筒状体の内側又は外側に、上記筒状体に沿って設けられたシート状の装飾紙と、この筒状体の内部に、当該筒状体内部を全体的に照らす熱を発生しない光源とが設けられていることを特徴とする装飾照明装置
。
【請求項２】
上記装飾紙は、一枚の和紙であり、上記筒状体の内面を覆うように設けられていることを特徴とする請求項１に記載の装飾照明装置。
【請求項３】
上記筒状体は、その天井又は底のいずれか一方の開口部を覆うように蓋体が設けられ、かつ
上記光源は、他方の開口部に設けられ、上記一方の開口部に向けて光を発するように設置されていることを特徴とする請求項１又２に記載の装飾照明装置。
【請求項４】
上記装飾紙には、透かし模様又は切り抜きが形成されていることを特徴とする請求項１ないし３のいずれか一項に記載の装飾照明装置。
【請求項５】
上記筒状体は、その底部に設けられるとともに、上記光源が収容された台座によって周方向に回転可能に支持されていることを特徴とする請求項１ないし４のいずれか一項に記載の装飾照明装置。
【請求項６】
筒状に巻かれることによって立設可能となるシート状の透明なプラスチック材と、このプラスチック材の上記巻き方向よりも長く又は上記巻き方向と略同一長さに形成されたシート状の装飾紙と、上記筒状内に収容可能である熱を発生しない光源とを有することを特徴とする装飾照明製作用キット。
【請求項７】
上記光源が収容された容器は、上記筒状に巻かれたプラスチック材の内部に配設することによって、上記プラスチック材の上記筒形状を保持可能な外法寸法を有していることを特徴とする請求項６に記載の装飾照明製作用キット。
【請求項８】
上記装飾紙は、和紙であって、その中央部に開口が形成されており、この開口と略同一の外法寸法を有する写真印刷用紙が備えられていることを特徴とする請求項６又は７に記載の装飾照明製作用キット。
【発明の詳細な説明】
【技術分野】
【０００１】
本発明は、装飾照明装置と、この装飾照明装置を一般の人が製作するために必要な部品等の全てを取り揃えた装飾照明製作用キットとに関するものである。
【背景技術】
【０００２】
従来、テーブルや家具の上に置かれている装飾照明装置は、一般に電源コードが接続されているため、固定した場所において観賞に資されるものであり、持ち歩く利便性を兼ね備えていないものであった（例えば、特許文献１）。
【０００３】
また、光源として白熱灯や蛍光灯が用いられ、発光ととともに発熱を伴うために、光源を覆う部材としては、難燃性であることが当然に要求され、ガラス素材等の熱によって変形する等の悪影響を受けない素材しか用いることができなかった。
【特許文献１】特開平１１−１８５５０７
【発明の開示】
【発明が解決しようとする課題】
【０００４】
ところで、近年、新たな光源として、発光ダイオード（ＬＥＤ）が開発され、携帯電話のバックライト等として広く利用されている。この発光ダイオードは、消費電力が少ない上、発光に際し、発熱を伴わないものである。
【０００５】
そこで、本発明は、発光ダイオード等の発光に際し、発熱を伴わない光源を用いて、例えば、従来、発熱を伴う光源では使用することができなかった易燃性の部材等を用いて、新たな嗜好性を有する装飾照明装置を提供するとともに、一般の人が独自性を持たせつつ、この装飾照明装置を製作することができる装飾照明製作用キットを提供することを課題とする。
【課題を解決するための手段】
【０００６】
すなわち、請求項１に記載の発明に係る装飾照明装置は、透明なプラスチック材によって構成された筒状体と、この筒状体の内側又は外側に、上記筒状体に沿って設けられたシート状の装飾紙と、この筒状体の内部に、当該筒状体内部を全体的に照らす熱を発生しない光源とが設けられていることを特徴としている。
ここで、筒状体の内側又は外側に、上記筒状体に沿って設けられたシート状の装飾紙としては、筒状体の全面を覆うように設けられている一枚の装飾紙であっても、それぞれ筒状体の一部を覆うように小さく形成されている複数枚の装飾紙であってもよいものである。また、熱を発生しない光源としては、従来の蛍光灯等の光源と比較し、発熱量が無視できる程少ない光源を意味するものであって、例えば、白色の他、赤色、青色又は緑色等の各色の発光ダイオード、有機エレクトロルミネッセンスや無機エレクトロルミネッセンス等が挙げられる。
【０００７】
請求項２に記載の発明は、請求項１に記載の装飾照明装置において、上記装飾が一枚の和紙であり、上記筒状体の内面を覆うように設けられていることを特徴としている。
【０００８】
請求項３に記載の発明は、請求項１又は２に記載の装飾照明装置において、上記筒状体は、その天井又は底のいずれか一方の開口部を覆うように蓋体が設けられ、かつ上記光源は、他方の開口部に設けられ、上記一方の開口部に向けて光を発するように設置されていることを特徴としている。
【０００９】
請求項４に記載の発明は、請求項１ないし３のいずれか一項に記載の装飾照明装置において、上記装飾紙には、透かし模様又は切り抜きが形成されていることを特徴としている。
【００１０】
請求項５に記載の発明は、請求項１ないし４のいずれか一項に記載の装飾照明装置において、上記筒状体は、その底部に設けられるとともに、上記光源が収容された台座によって周方向に回転可能に支持されていることを特徴としている。
【００１１】
請求項６に記載の発明に係る装飾照明製作用キットは、筒状に巻かれることによって立設可能となるシート状の透明なプラスチック材と、このプラスチック材の上記巻き方向よりも長く又は上記巻き方向と略同一長さに形成されたシート状の装飾紙と、上記筒状内に収容可能である熱を発生しない光源とを有することを特徴としている。
【００１２】
ここで、筒状に巻かれることによって立設可能となるシート状の透明なプラスチック材としては、例えば、ポリ塩化ビニル（ＰＶＣ）、ポリエチレンテレフタレート（ＰＥＴ）、（メタ）アクリル樹脂（ＰＭＭＡ）、ポリスチレン（ＰＳ）、ポリアクリロニトリル（ＰＡＮ）、ポリカーボネート（ＰＣ）、ポリアミド（ＰＡ）等を用いることができる。
また、このプラスチック材の上記巻き方向と略同一長さに形成されたシート状の装飾紙とは、プラスチック材の巻き方向の両端部に、プラスチック材を筒状に巻いた際に係合させる係合部や重畳させる糊しろ部が形成されている場合に、係合部や糊しろ部に相当する分だけ短く形成されたシート状の装飾装飾紙を含む意味である。
【００１３】
請求項７に記載の発明は、請求項６に記載の装飾照明製作用キットにおいて、上記光源が収容された容器が上記筒状に巻かれたプラスチック材の内部に配設することによって、上記プラスチック材の上記筒形状を保持可能な外法寸法を有していることを特徴としている。
【００１４】
請求項８に記載の発明は、請求項６又は７に記載の装飾照明製作用キットにおいて、上記装飾紙が和紙であって、その中央部に開口が形成されており、この開口と略同一の外法寸法を有する写真印刷用紙が備えられていることを特徴としている。
ここで、開口と略同一の外法寸法を有する写真印刷用紙とは、写真の縁あり印刷の縁に相当する分だけ装飾紙の中央部に形成された開口よりも一回り大きく形成されている写真印刷用紙を含む意味である。
【発明の効果】
【００１５】
請求項１に記載の発明によれば、発光ダイオード等の熱を発生しない光源を用いたため、筒状体を易燃性の透明なプラスチック材によって構成することができるとともに、この筒状体の内側又は外側に、上記筒状体に沿って易燃性のシート状の装飾紙を設けることができ、新たな嗜好性を有する装飾照明装置を提供することができる。また、光源を筒状体内部に、当該内部を全体的に照らすように配設したため、装飾紙に施されている装飾を浮き上がらせるようにライティングすることができる。このため、常夜灯や燈明としても好適に使用することができる。
【００１６】
特に、光源として発光ダイオードを用いた場合には、消費電力が小さく、乾電池や充電池を利用してコードレスにすることができ、装飾照明装置を家の中で持ち歩くことができる。このため、睡眠時等にも常に枕元に置いておくことにより、災害時には照明として活用することができ、利便性にも優れている。
特に、この発光ダイオードとして高輝度の照明用のパワーＬＥＤを用いることもでき、この場合には周囲を著しく明るくすることができるため、装飾照明装置を手元灯としても好適に用いることができる。また、このパワーＬＥＤに併せて、暖色系の装飾紙を用いる等、ＬＥＤの発光色と装飾紙の色味を組み合わせることによって、各個人の好みに合わせた手元灯を提供することができる。さらには、このパワーＬＥＤを用いた場合にも、装飾紙によって光の透過量を減少させることにより、上述の常夜灯や燈明としても利用することができる。
【００１７】
さらに、請求項２に記載の発明によれば、筒状体の内面を覆うように一枚の和紙を設けたため、シート状の和紙を筒状に巻き、筒状体内部に挿入することによって、和紙が筒状体に沿うように広がり、筒状体と和紙との間に接着剤等の接着層を設けなくてもプラスチック材と和紙とを一体化させることができ、余分な接着層によって光の透過量が減少することを防止できる。さらには、和紙が意匠及び光透過性に優れているため、新たな嗜好性を有する装飾照明装置を提供することができる。
また、外側にプラスチック材によって構成された筒状体が配設されるため、汚れが付着した場合にも容易に拭き取ることができ、優れた利便性を有することができる。
【００１８】
さらにまた、請求項３に記載の発明によれば、上記筒状体の天井又は底のいずれか一方の開口部を覆うように蓋体を設け、かつ光源を他方の開口部に設けるとともに、上記一方の開口部に向けて光を発するように設置したため、光が開口部から漏れることを防止し、光源の光を効率的に装飾紙の模様を浮き上がらせるために利用することができるとともに、光源の光を用いて周囲を全体的に明るくすることができる。
【００１９】
さらには、請求項４に記載の発明によれば、透かし模様又は切り抜きが形成された装飾紙を筒状体の内側又は外側に沿って設けることによって、光源から周囲に溢れる光の明るさを調整することができるとともに、意匠性に優れた装飾照明装置を提供することができる。
換言すると、筒状体に沿って設けられたシート状の紙の裏面に花柄等の模様形状の紙を貼り付けることにより透かし模様を施した装飾紙を用いることによって、又は上記シート状の紙の裏面に模様形状に切り抜いた紙を貼り付けることにより透かし模様を施した装飾紙を用いることによって、周囲を全体的に暗くすることができる。
他方、上記シート状の紙に模様形状の薄肉部を形成することにより透かし模様を施した装飾紙を用いることによって、又は切り抜きを形成した装飾紙を用いることによって周囲を全体的に明るくすることができる。
【００２０】
また、請求項５に記載の発明によれば、光源が収容された台座によって筒状体を周方向に回転させることにより、一方向からの観賞によって筒状体に沿って設けられた装飾紙の回転による装飾の変化を楽しむことができる。
【００２１】
一方、請求項６に記載の発明によれば、装飾照明製作用キットが筒状に巻かれることによって立設可能となる透明なプラスチック材と、このプラスチック材の巻き方向よりも長く又は上記巻き方向と略同一長さに形成されたシート状の装飾紙と、熱を発生しない光源とを有するため、一般の人が透明なプラスチック材の表面に好みの装飾紙を貼り付け、装飾紙の貼り付け面を外方に向けて、筒状に巻いて立設させるとともに、筒状体の内部に光源を設置することによって独自の装飾照明を得ることができる。または、透明なプラスチック材を筒状に巻いて立設させるとともに、好みの装飾紙を筒状に巻き、上記プラスチック材の内側に挿入することによって、装飾紙が筒状体に沿うように広がり、筒状体と装飾紙との間を接着剤によって接着等しなくても簡易にプラスチック材と装飾紙とを一体化させることができ、接着によって凹凸等ができることを防止し、独自の装飾照明を容易かつ綺麗に製作することができる。
【００２２】
請求項７に記載の発明によれば、光源を収容した容器がプラスチック材の筒形状を保持可能な外法寸法を有しているため、この容器をプラスチック材及び装飾紙によって構成された筒状体の内部に挿入させることによって、プラスチック材を安定的に筒形状に保持することができる。
また、光源が収容された容器の底部が平らに形成されている場合には、容器を筒状体の底部に配設させることによって、装飾照明をテーブル等の上に安定して載置させることができる。
【００２３】
請求項８に記載の発明によれば、備え付けの写真印刷用紙に家庭用のインクジェットプリンタ等にて、例えば、家族の写真等の好みの写真を印刷し、この写真を和紙の開口に貼り合わせ、次いで、上述のように、筒状に形成された透明なプラスチック材内に写真が貼り合わされた和紙を筒状にして挿入し、光源を設置等することによって、独自性を最大限に引き出すことができる装飾照明装置を製作することができ、嗜好性の幅を格段に拡げることができる。
【発明を実施するための最良の形態】
【００２４】
次に、本発明に係る装飾照明装置の一実施形態を、図１及び図２を用いて説明する。
【００２５】
本実施形態における装飾照明装置は、透明なプラスチック材によって構成された円筒状体（筒状体）１と、この円筒状体１の底部に設けられた光源２１と、円筒状体１の天井部に設けられた蓋体３とによって概略構成されている。
【００２６】
この円筒状体１は、ポリ塩化ビニル素材からなるシート状のプラスチック材１１が円筒状に巻かれるとともに、この巻き方向の両端部が上記巻き方向に直交する幅方向の全体に亘って形成されている凹凸状の係合部１０によって互いに係合されており、上記幅方向が上下方向に向けて立設されている。
また、円筒状体１の内側に、装飾が施された和紙（装飾紙）４が円筒状体１に沿って配設されており、さらに、この和紙４の内側に、ポリ塩化ビニル素材からなるシート材５が和紙４に沿って配設されている。
【００２７】
この和紙４は、上記立設方向の長さが円筒状体１と同一であって、上記巻き方向の長さが円筒状体１よりも大きく、巻き方向の両端部が重ねて配設されている。また、中央部に開口４０が形成されており、この開口４０に光透過可能な写真４４が配設されている。
他方、和紙４の内側に配設されたシート材５は、上記立設方向の長さが円筒状体１よりも一回り小さく形成されるとともに、蓋体３を上端部に係止するように円筒状体１よりも肉厚に形成されている。そして、上記巻き方向の長さが円筒状体１よりも大きく、巻き方向の両端部が重ねて配設されている。
【００２８】
この蓋体３は、ポリ塩化ビニル素材からなるプラスチック材３２と、このプラスチック材３２の内側に配設された和紙３６とによって構成されている。そして、プラスチック材３２によって、頂部が上方に向けて配設された扁平な中空円錐体３０と、この中空円錐体３０の外周に垂下する縁部３１とが形成されており、このプラスチック材３２による中空円錐体３０内には、和紙３６によって形成された扁平な中空円錐体３７が表面の装飾を外方に向けた状態において嵌め込まれている。
また、プラスチック材３２は、その中空円錐体３０の外法が円筒状体１の内法よりも一回り小さく形成され、縁部３１がシート材５の上端部に係止されている。また、縁部３１の垂下方向長さが中空円錐体３０との境界線を円筒状体１の上部外周と同一線に配設するように小さく形成されており、蓋体３は、外観視において中空円錐体３０のみが視認されるようになっている。
【００２９】
他方、光源２１は、白色の発光ダイオードからなり、外観略ドーム状に形成されている台座２に収容されている。
この台座２が、その下部が扁平な円柱状に形成され、下部の外法寸法が円筒状体１よりも和紙４及びシート材５の分だけ小さく形成されている。また、充電池が内蔵され、側面には充電用の端子２０が配設されている。このため、円筒状体１、和紙４及びシート材５の端子２０に対応する位置に開口がそれぞれ形成されている。
【００３０】
次いで、上述の装飾照明装置を製作するための装飾照明製作用キットについて、図３を用いて説明する。なお、上述の装飾照明装置と同一の部材については、同一の符号を付して一部説明を省略する。
【００３１】
本実施形態の装飾照明製作用キットは、円筒状体１用のシート状のプラスチック材１１、シート状の和紙４、及びシート材５用のプラスチック材５５がいずれも長方形状に切り取られている。さらに、写真４４用の印刷用紙４５及び光源２１を有し、蓋体３用のシート状のプラスチック材３２及び和紙３６が略円形状に切り取られている。
【００３２】
このプラスチック材１１は、一角隅部に端子２０用の開口１２が形成されており、長手方向の両端部に、互いに係合する凹凸部１３ａ、１３ｂがそれぞれ短手方向全体に亘って形成されている。そして、凹凸部１３ａ、１３ｂを除く、長手方向の長さが台座２の下部の外法寸法より和紙４及びプラスチック材５５の厚さ分だけ大きく形成されている。
【００３３】
この和紙４は、短手方向の長さがプラスチック材１１と同一であって、長手方向の長さがプラスチック材１１よりも大きく形成されている。また、中央部に開口４０が形成されているとともに、一角隅部に、端子２０に対応する開口用の切取線４１が記されている。
【００３４】
上記プラスチック材５５は、短手方向の長さがプラスチック材１１よりも一回り小さく形成されており、長手方向の長さがプラスチック材１１よりも大きく形成されている。そして、一角隅部に、端子２０用の開口５１が形成されている。
【００３５】
一方、印刷用紙４５は、高精細な画像を印刷可能な写真印刷用紙であって、光透過する薄紙に形成されており、和紙４の開口４０と同一の外法寸法を有する。
また、プラスチック材３２は、プラスチック材１１と同一のポリ塩化ビニル素材によって構成されており、その外周部には縁に沿って円状に浅い切り込みライン３３が入れられている。さらに、縁から円中心の方向に向けてライン３３まで多数の切り込み３４が縁に沿って等間隔に形成されている。そして、ライン３３の長さがプラスチック材１１の凹凸部１３ａ、１３ｂを除く、長手方向の長さより和紙４及びプラスチック材５５の厚さ分だけ一回り小さく形成されるように円中心を頂部とする扇形が切り取られており、略円形状に形成されている。
他方、和紙３６は、外周が切り込みライン３３に対応するようにプラスチック材３２よりも一回り小さく形成されており、円中心を頂部とする扇形が切り取られ、略円形状に形成されている。
【００３６】
上述の本発明に係る装飾照明製作用キットを用いて、上述の本発明に係る装飾照明装置を組み立てる方法について、以下に説明する。
【００３７】
まず、印刷用紙４５に家庭用のインクジェット用プリンタ等にて家族の写真４４を印刷し、この写真４４の印刷面を和紙４の装飾表面側に向けて、開口４０の周囲において和紙４の裏面と写真４４の裏面とをセロハンテープを利用して貼り付ける。また、切取線４１に沿って和紙４の一部を切り取り、開口を形成する。
【００３８】
次いで、プラスチック材１１を、長手方向の両端部に形成された凹凸部１３ａ、１３ｂを互いに係合させることにより円筒状体１を構成し、この円筒状体１を、開口１２が下部に位置するようにテーブル上に立設させる。次いで、この円筒状体１の内側に、上記写真４４が貼り付けられた和紙４を、装飾表面を外方に向けて、長手方向に向けて巻きながら配設する。その際、切取線４１によって切り取られた開口が下部に位置するように配設する。
そして、和紙４が円筒状体１に沿うように広がった後に、切取線４１による開口を開口１２に臨む位置に配設させ、和紙４の重なり部分において内方側に位置する長手方向一端部を他端部側とセロハンテープを用いて貼り付ける。
【００３９】
次に、この和紙４の内側に、プラスチック材５５を長手方向に向けて巻きながら開口５１が下部に位置し、かつ下端部がテーブル上に載置されるように配設する。すると、プラスチック材５５の上端部が円筒状体１の上端部より一段下に配設される。
そして、プラスチック材５５が和紙４に沿うように広がった後に、開口５１を開口１２に臨む位置に配設させ、プラスチック材５５の重なり部分において内方側に位置する長手方向の一端部を他端部側とセロハンテープを用いて貼り付ける。それとともに、少なくとも円筒状体１の係合部１０の上端部と和紙４の上部とプラスチック材５５の上端部とを、セロハンテープによって貼り合わせることにより、プラスチック材５５、和紙４を円筒状体１に一体化させる。
【００４０】
次いで、上述のプラスチック材５５、和紙４が一体化されている円筒状体１の底部に、台座２を端子２０が開口４０等に対応するように挿入させる。その際、プラスチック材１１は、凹凸部１３ａ、１３ｂを除く、長手方向の長さが台座２の下部の外法寸法より和紙４及びプラスチック剤５５の厚さ分だけ大きく形成されているため、台座２の円柱状の外形に沿って和紙４及びプラスチック剤５５とともに円筒状に立設し、台座２の円柱状の外形に沿って形状が安定的に保持される。
【００４１】
一方、プラスチック材３２を、扇形に切り取られている縁同士を合わせるようにして、セロハンテープで貼り付けることにより、中空円錐体３０を構成する。同様に、和紙３６を、装飾表面を外方に向けて縁同士を合わせ、裏面においてセロハンテープで貼り付けることにより、中空円錐体３７を構成する。
次いで、切り込みライン３３に沿って外周部を、切り込みライン３３から円錐体３０の頂部の反対側に向けて垂下するように折り込み、縁部３１を構成した後、中空円錐体３０内に中空円錐体３７を配設する。
そして、この縁部３１を円筒状体１の内側のプラスチック材５５の上端部に配設することにより、装飾照明装置が得られた。
【００４２】
上述の実施の形態の装飾照明装置によれば、光源２１として発光ダイオードを用いたため、円筒状体１の内側に易燃性の和紙４を設けることができ、円筒状体１の内側に和紙４を設けることによって、接着層を設けなくてもプラスチック材と装飾紙とを一体化させることができる。このため、余分な接着層によって光の透過量が減少することを防止できるとともに、外側にプラスチック材によって構成された筒状体が配設され、汚れが付着した場合にも容易に拭き取ることができ、優れた利便性を有する。さらに、この和紙４の内側にさらにシート材５を設けたため、円筒形状を安定して保持することができるとともに、シート材５が立設方向の長さが円筒状体１より一回り小さく形成されるとともに、肉厚に形成されているために、蓋体３の縁部３１を係止することができる。
【００４３】
さらに、この蓋体３は、プラスチック材３２及び和紙３６が中空円錐体３０、３７に形成され、かつ和紙３６の裏面が内方に向けて配設されているため、円筒状体１の底部に設けられた光源２１からの光が和紙３６の裏面によって効率的に反射し、光源２１の光を効率的に和紙４の装飾や写真４４を浮き上がらせるために利用することができるとともに、光源２１の光を利用して周囲を全体的に明るくすることができる。また、発光ダイオードは、消費電力が小さく、充電池式を採用してコードレスとしたため、装飾照明装置を家の中で持ち歩くことができ、かつ睡眠時にも常に枕元に置いておくことにより、災害時には照明として活用することもでき、利便性にも優れている。
【００４４】
また、上述の実施の形態の装飾照明製作用キットによれば、透明なプラスチック材１１を筒状に巻いて立設させるとともに、好みの和紙４を筒状に巻き、プラスチック材１１の内側に挿入することによって、接着剤によって接着等しなくても簡易にプラスチック材１１と和紙４とを一体化させることができるため、接着によって凹凸等ができることを防止し、独自の装飾照明を容易かつ綺麗に製作することができる。さらに、この和紙４の内側に配設するプラスチック材５５を設けたため、和紙４との摩擦等の問題なく、台座２を円筒状体１の底部から容易に挿入させることができる。また、プラスチック材１１の長手方向の長さが台座２の外法寸法より和紙４及びプラスチック材５５の厚さ分だけ大きく形成されているため、プラスチック材５５、和紙４が一体化されている円筒状体１の底部に台座２を挿入させることによって、円筒状体１の形状を保持させることができ、かつ台座２の下部が円柱状に形成されているため、装飾照明をテーブル等の上に安定して載置させることができる。
【００４５】
また、プラスチック材５５は、短手方向の長さがプラスチック材１１よりも一回り小さく形成されているため、その上端部に蓋体３を係止させることができ、蓋体３の切り込みライン３３に沿ってプラスチック材３２の外周部を折り込む際に、外周部を綺麗に垂下させることができなくても、蓋体３を円筒状体１の外方に配設した場合と異なり、蓋体３の縁部３１が目立たないために、蓋体３の縁部３１の加工処理を簡易にすることができ、綺麗に装飾照明装置を製作することができる。
【００４６】
なお、上述の実施形態は、本発明を何ら限定するものではなく、例えば、筒状体は、円筒状体１に限定されるものでなく、角筒状であってもよく、また、装飾紙は、和紙４に限定されるものでなく、筒状体の外側に設けられていてもよいものである。さらに、蓋体３は、必ずしも設けられていなくてもよいし、光源２１は、発光ダイオードに限定されるものでなく、発光とともに熱を発生しないものであればよいし、充電式に限定されるものでなく、乾電池を利用するものであってもよい。
【００４７】
さらには、装飾照明装置の他の実施の形態として、図４及び図５に示すように、円筒状体１を構成する和紙４に波状の切り抜き４７や透かし模様を形成してもよい。この切り抜き４７は、格子状に形成しても又は模様の縁を象るように形成してもよい。また、透かし模様は、和紙４の裏面に模様形状の紙を貼り付けることによって、又は和紙４の裏面に模様形状に切り抜いた紙を貼り付けることによって形成してもよい。これらの切り抜き４７や透かし模様は、光源２１の輝度と和紙４の厚さ等によって周囲に漏れる光の明るさが適切なものになるように形成される。
【００４８】
また、台座２の上部に、円筒状体１の底部を支持する回転台２２を設け、台座２の非回転部である下部に、上記光源２１として赤、青、緑又は黄色のうちの少なくとも１色以上の発光ダイオードを内設させてもよい。光源２１として複数色の発光ダイオードを設けた場合には、時間の経過とともに、各発光色の輝度のバランスを変化させてもよい。
【００４９】
また、蓋体３は、円板の縁部が円筒状体１のプラスチック材１１の外周面に沿って嵌合するように下方に向けて突出しているプラスチック材３８と、このプラスチック材３８の内面に配設される透かし模様板３９とによって構成してもよい。この透かし模様板３９は、円板状のプラスチック３９０の表面に、花柄等の模様の縁３９ａが切り抜かれた紙３９１が貼り付けられた模様板３９２と、この模様板３９２と上記プラスチック材３８との間に配設される円板状の透かし紙３９３とによって構成してもよい。さらに、蓋体３は、この透かし模様板３９に代えて、円筒状体１を構成する和紙４と同様に、模様形状の紙を貼り付ける等により透かし模様を形成した装飾紙や切り抜きを形成した装飾紙をプラスチック材３８内に配設してもよい。
【図面の簡単な説明】
【００５０】
【図１】本発明の一実施形態として示した装飾照明装置の側面斜視図である。
【図２】図１の断面模式図である。
【図３】本発明の一実施形態として示した装飾照明製作用キットの正面図である。
【図４】本発明の他の実施形態として示した装飾照明装置の側面斜視図である。
【図５】図４の分解斜視図である。
【符号の説明】
【００５１】
１    筒状体
２    台座
４    和紙（装飾紙）
１１  プラスチック材
【図１】
2008034338.tif 000003
【図２】
2008034338.tif 000004
【図３】
2008034338.tif 000005
【図４】
2008034338.tif 000006
【図５】
2008034338.tif 000007